(57)【要約】      （修正有）【課題】簡便且つ迅速な操作で、隔離、保温、遮音、絶縁、耐衝撃、耐火及び防湿等の効果を得る組合せ管路の保護構成を提供する。【解決手段】管体１０を保護するようにその表面を被覆する被覆層２０と、被覆層２０の外部に設置する第一接合体３０及び第二接合体４０とを包括している。第一接合体３０及び第二接合体４０の対応し合う少なくも一つのエッジ部分３１、４１の間には嵌合し合う嵌合部４３と被嵌合部３３とを設けることで、第一接合体３０及び第二接合体４０は被覆層２０と管体１０とを簡便且つ安定的に結合することができる。【選択図】図１
0003197874.tif 000002
【実用新案登録請求の範囲】
【請求項１】
管体を保護するようにその表面を被覆する被覆層と、
少なくとも一つのエッジ部分とエッジ部分を接続する中間部分とをそれぞれ有して被覆層の外部に設置する第一接合体及び第二接合体とを包括し、
第一接合体のエッジ部分は、第二接合体のエッジ部分との間に、被嵌合部或いは嵌合部のいずれか一つを形成し、被嵌合部或いは嵌合部のいずれか一つを形成する第一接合体のエッジ部分に対応する第二接合体のエッジ部分は、第一接合体のエッジ部分と嵌合するための被嵌合部或いは嵌合部のいずれか一つを設け、第一接合体と第二接合体とを組合せ、被覆層を完成させることを特徴とする組合せ管路の保護構成。
【請求項２】
第一接合体及び第二接合体の中間部分の厚さは、エッジ部分の厚さより薄いことを特徴とする請求項１に記載の組合せ管路の保護構成。
【請求項３】
第一接合体及び第二接合体の硬度は、被覆層の硬度より硬いことを特徴とする請求項１に記載の組合せ管路の保護構成。
【請求項４】
第一接合体及び第二接合体のいずれか一つのエッジ部分に被嵌合部を設置した場合、被嵌合部を設置していないもう一方の接合体には嵌合部が設けられ、且つ被嵌合部及び嵌合部は、第一接合体及び第二接合体の軸線方向に沿って延在することを特徴とする請求項１乃至３のいずれかに記載の組合せ管路の保護構成。
【請求項５】
第一接合体及び第二接合体は、二つのエッジ部分をそれぞれ有し、これ等エッジ部分には嵌合部及び被嵌合部がそれぞれ設置され、第一接合体の被嵌合部は第二接合体の嵌合部に対応し、第二接合体の被嵌合部は第一接合体の嵌合部に対応することを特徴とする請求項１乃至３のいずれかに記載の組合せ管路の保護構成。
【請求項６】
第一接合体及び第二接合体の嵌合部及び被嵌合部の対応関係は、中央から両端に向かって対称的に分布するように設けることで、型式を同一にすることを特徴とする請求項５に記載の組合せ管路の保護構成。
【請求項７】
被嵌合部は、被嵌合谷部と被嵌合谷部に接続する被嵌合山部とを形成し、嵌合部は、被嵌合谷部に対応する嵌合山部と嵌合山部に接続し且つ被嵌合山部に対応する嵌合谷部とを形成することを特徴とする請求項１乃至６のいずれかに記載の組合せ管路の保護構成。
【請求項８】
被覆層は、断熱材であることを特徴とする請求項１乃至７のいずれかに記載の組合せ管路の保護構成。
【考案の詳細な説明】
【技術分野】
【０００１】
本考案は、特に第一接合体、第二接合体及び被覆層の結合を応用することで、簡易的な操作で、管路の保護、並びに隔離、保温、遮音、絶縁、耐衝撃、耐火及び防湿等の効果を得る組合せ管路の保護構成に関するものである。
【背景技術】
【０００２】
従来において、管路或いは管体を応用し、流体の輸送、或いは配線、ケーブルの保護管として配置することは周知となっている。通常、管体の外部に発泡層を被覆することで、管体の保温、耐候或いは耐食等の特性を増加しており、組合せ管体と発泡層とを有効的に結合するため、実際では、粘着テープ或いはその類似物を使用して発泡層の外部に巻き付けるように被覆することにより、発泡層と管体は緊密に結合している。
【０００３】
しかし、人員の手によって、発泡層と管体とを粘着テープ或いはその類似物によって巻き付けるように被覆することは、作業が複雑化するだけでなく、必要以上の時間を費やし、相対的にコストを増加させてしまい、さらにこれを実施する際、作業員は高い位置で作業しなければならなため、作業中の危険性は、作業の時間を追う毎に増していく。また、その作業に不慣れな作業員があたったとなれば、発泡層と管体との巻き付けに影響を及ぼしかねない。
【０００４】
また、管路の配置が複雑、或いは管路同士の間にある配置空間が狭かった場合、さらに発泡層と管体との巻き付けに影響を及ぼしてしまう。
【０００５】
つまり、従来の管体と発泡層或いは被覆層との組合せ構成の課題を鑑み、従来のものとは異なる使用形態を創作することができれば、その応用範囲を増加することができる。例えば、簡易的に操作ができるという条件下において、従来の粘着テープ或いはその類似物を使用して行う巻き付け作業を排除し、直接、管体と発泡層とを組合わせる構成を形成することで、管路の配置空間が狭くて作業し難いという状況を改善し、且つ従来、作業員の技術的影響によって左右する作業の品質やコスト等の浪費をさらに改善する。
【考案の概要】
【考案が解決しようとする課題】
【０００６】
本考案の主要な目的は、簡便且つ迅速な操作で、隔離、保温、遮音、絶縁、耐衝撃、耐火及び防湿等の効果を得る組合せ管路を使用する保護構成を提供することにある。
【課題を解決するための手段】
【０００７】
上述の目的を達成するため、管体を保護するようにその表面を被覆する被覆層と、少なくとも一つのエッジ部分とエッジ部分を接続する中間部分とをそれぞれ有して被覆層の外部に設置する第一接合体及び第二接合体とを包括し、第一接合体のエッジ部分は、第二接合体のエッジ部分との間に、被嵌合部或いは嵌合部のいずれか一つを形成し、被嵌合部或いは嵌合部のいずれか一つを形成する第一接合体のエッジ部分に対応する第二接合体のエッジ部分は、第一接合体のエッジ部分と嵌合するための被嵌合部或いは嵌合部のいずれか一つを設け、第一接合体と第二接合体とを組合せ、被覆層を完成させる組合せ管路の保護構成を提供している。
【０００８】
上述の構成において、第一接合体及び第二接合体の中間部分の厚さは、エッジ部分の厚さより薄い。
【０００９】
上述の構成において、第一接合体及び第二接合体の硬度は、被覆層の硬度より硬い。
【００１０】
上述の構成において、第一接合体及び第二接合体のいずれか一つのエッジ部分に被嵌合部を設置した場合、被嵌合部を設置していないもう一方の接合体には嵌合部が設けられ、且つ被嵌合部及び嵌合部は、第一接合体及び第二接合体の軸線方向に沿って延在している。
【００１１】
上述の構成において、第一接合体及び第二接合体は、二つのエッジ部分をそれぞれ有し、これ等エッジ部分には嵌合部及び被嵌合部がそれぞれ設置され、第一接合体の被嵌合部は第二接合体の嵌合部に対応し、第二接合体の被嵌合部は第一接合体の嵌合部に対応している。
【００１２】
上述の構成において、第一接合体及び第二接合体の嵌合部及び被嵌合部の対応関係は、中央から両端に向かって対称的に分布するように設けることで、型式を同一にしている。
【００１３】
上述の構成において、被嵌合部は、被嵌合谷部と被嵌合谷部に接続する被嵌合山部とを形成し、嵌合部は、被嵌合谷部に対応する嵌合山部と嵌合山部に接続し且つ被嵌合山部に対応する嵌合谷部とを形成している。
【００１４】
上述の構成において、被覆層は、断熱材である。
【考案の効果】
【００１５】
以上のことから、従来と比較して本考案は以下のような利点を有している。
【００１６】
第一に、本考案は、第一接合体及び第二接合体が二つのエッジ部分と二つのエッジ部分に接続する中間部分とを有し、それぞれ二つのエッジ部分上に対応し合う被嵌合部と嵌合部とをそれぞれ設け、第一接合体及び第二接合体を単一の型式とすることで、生産の簡易化を図り、実施の複雑性を低減することができる。
【００１７】
第二に、第一接合体の二つのエッジ部分は被嵌合谷部と被嵌合谷部に接続する被嵌合山部とを形成する被嵌合部を設け、第二接合体の二つのエッジ部分は、嵌合山部と被嵌合谷部に対応する嵌合山部と嵌合山部に接続し且つ被嵌合山部に対応する嵌合谷部とを形成する嵌合部を設け、被嵌合部及び嵌合部を接合することで、被覆層を管体上に固定することができる。
【００１８】
第三に、第一接合体及び第二接合体の中間部分の厚さは、エッジ部分の厚さより薄く設けることができることから、被嵌合部と嵌合部との嵌合を強化する上、材料コストを低減することができる。
【図面の簡単な説明】
【００１９】
【図１】本考案に係る第一実施例の構成を示す模式図である。
【図２】本考案に係る第一実施例における継手部分に関する構成を示す模式図である。
【図３】本考案に係る第一実施例における管体、被覆層及び第一、第二接合体の組合せ状態に関する構成を示す断面図である。
【図４】本考案に係る第二実施例の構成を示す模式図である。
【図５】本考案に係る第二実施例における継手部分に関する構成を示す模式図である。
【図６】本考案に係る第二実施例における管体、被覆層及び第一、第二接合体の組合せ状態に関する構成を示す断面図である。
【考案を実施するための形態】
【００２０】
図１乃至図３を参照すると、本考案である組合せ管路の保護構成に係る第一実施例は、生活用或いは工業用に配置することで、流体を輸送する管体１０を包括している。管体１０は、管路の配置形態によって、継手部分を有することもある。管体１０の表面は、被覆層２０を被覆しており、通常、被覆層２０は、断熱材、エポキシ樹脂、ポリエチレン、ＰＵ発泡材、金属、複合金属、アルミニウム合金或いはこれ等に類似する材質のいずれかから選出し、二つの半円形断面の発泡形態を形成し、管体１０の保護に用い、さらに管体１０の耐候性、防火性、腐食等の耐食性及び保温性等の作用を加えている。また、被覆層２０の外部には、第一接合体３０及び第二接合体４０が設けられている。
【００２１】
第一実施例において、第一接合体３０及び第二接合体４０は、弾性を有するプラスチック或いはこれに類似する材質から選出し、図３のように、半円形断面或いは半楕円形断面になるようにそれぞれ形成している。また、第一接合体３０及び第二接合体４０の硬度は、被覆層２０の硬度より硬くすることで、第一接合体３０及び第二接合体４０は被覆層２０を組合わせることによって発生する変形を防いでいる。また、第一接合体３０及び第二接合体４０は、二つのエッジ部分３１、４１と二つのエッジ部分３１、４１に接続する中間部分３２、４２をそれぞれ有しており、中間部分３２、４２の材料を低減し、二つのエッジ部分３１、４１を強化するため、中間部分３２、４２の厚さを二つのエッジ部分３１、４１より薄くしており、これによって、第一接合体３０及び第二接合体４０の体積及び材料の用量を低減している。
【００２２】
また、第一接合体３０の少なくとも一つ或いは二つのエッジ部分３１は、図１乃至図３のとおり、第一接合体３０の軸線方向に沿って延在し、単一の型式である被嵌合部３３を設け、第二接合体４０の少なくとも一つ或いは二つのエッジ部分４１は、これに対応して被嵌合部３３に嵌合するように、第二接合体４０の軸線方向に沿って延在する嵌合部４３を設けている。
【００２３】
好ましい実施例において、第一接合体３０及び第二接合体４０は、予め被覆するように被覆層２０に結合した後、第一接合体３０及び第二接合体４０の嵌合作業を実施することで、被覆層２０は管体１０と組合わせることができる。つまり、第一接合体３０に嵌合部を設け、第二接合体４０に被嵌合部を設けるというように、第一接合体３０の被嵌合部３３と第二接合体４０の嵌合部４３は、変更・修正することができる。また、図４乃至図６のように、各エッジ部分３１、４１上に、それぞれが対応し合う被嵌合部３３１、４３１及び嵌合部３３２、４３２を設けることができ、さらに第一接合体３０及び第二接合体４０の被嵌合部３３１、４３１及び嵌合部３３２、４３２の対応関係を中央から両端に向かって対称的に分布するように設けることで、第一接合体３０と第二接合体４０との型式を同一にすることから、生産の簡易化及び作業の利便性を図ることができる。
【００２４】
また、各実施例にある被嵌合部３３、３３１、４３１は、被嵌合谷部３４と被嵌合谷部３４に接続する被嵌合山部３５とを形成し、嵌合部４３、３３２、４３２は、被嵌合谷部３４に対応する嵌合山部４４と嵌合山部４４に接続し且つ被嵌合山部３５に対応する嵌合谷４５とを形成し、それぞれ被嵌合部及び嵌合部を接合することで、図３及び図６のように、被覆層２０を管体１０上に固定し、被覆層を完成させている。
【００２５】
つまり、図３のように、作業員が第一接合体３０の被嵌合部３３を第二接合体４０の嵌合部４３に押圧すると、第二接合体４０の嵌合山部４４は第一接合体３０の被嵌合谷部３４に嵌入すると同時に、第一接合体３０の被嵌合山部３５は第二接合体４０の嵌合谷部４５に嵌入している。
【００２６】
以上のことから、本考案は、第一接合体及び第二接合体にある被嵌合部と嵌合部とによって、従来の粘着テープ或いはその類似物を用いる巻き付け作業とは異なり、迅速に固定することができ、作業員が直接管体と被覆層を組合わせて完成することができるため、管路の配置空間が狭くて作業し難いという状況を改善し、且つ従来、作業員の技術的影響によって左右する作業の品質やコスト等の浪費をさらに改善している。
【００２７】
なお、上述において説明したことは、本考案の好ましい実施例に過ぎず、本考案を限定するものではなく、本考案で請求する範囲及び精神を逸脱しない状況下において行う変更や修正等は、本考案に属するものである。
【符号の説明】
【００２８】
１０  管体
２０  被覆層
３０  第一接合体
３１  エッジ部分
４１  エッジ部分
３２  中間部分
４２  中間部分
３３  被嵌合部
３３１  被嵌合部
４３１  被嵌合部
３４  被嵌合谷部
３５  被嵌合山部
４０  第二接合体
４３  嵌合部
３３２  嵌合部
４３２  嵌合部
４４  嵌合山部
４５  嵌合谷部
【図１】
0003197874.tif 000003
【図２】
0003197874.tif 000004
【図３】
0003197874.tif 000005
【図４】
0003197874.tif 000006
【図５】
0003197874.tif 000007
【図６】
0003197874.tif 000008